(57)【特許請求の範囲】
【請求項１】
発光型表示器が発した表示光を反射手段により観察者の方向に反射させ、前記表示光を前記観察者が虚像として背景と重畳させて視認する表示装置であって、
前記表示光が出射する開口部を有し前記発光型表示器を収容するハウジングと、前記開口部に設けられた透光性カバーと、前記ハウジングと一体に設けられ前記開口部から前記発光型表示器に太陽光が入射すること防ぐ遮光壁と、前記透光性カバーを透過した光を検出するとともに、光軸が前記虚像の方向と略一致するように前記遮光壁に設けられる孔部に対向して配設される光検出手段と、前記光検出手段により検出された照度データに基いて前記発光型表示器の輝度を調整する制御手段と、を有することを特徴とする表示装置。
【発明の詳細な説明】
【０００１】
【発明の属する技術分野】
本発明は、表示装置に関するものであり、特に、周囲の照度を検出する光検出手段を有する表示装置に関するものである。
【０００２】
【従来の技術】
従来より、図４に示すように、光センサ１により周囲の照度を検出し、蛍光表示管２等の発光型表示器の輝度を周囲の照度に応じて調整する表示装置がある。表示装置は、蛍光表示管２が発する表示光Ｌを反射鏡３で反射させ車両のフロントガラスまたは半透過板に投影するものであり、このような表示装置はヘッドアップディスプレイと称されている。蛍光表示管２は回路基板４と接続されており、この回路基板４に搭載された駆動回路（図示しない）により駆動される。蛍光表示管２，反射鏡３及び回路基板４は非透光性樹脂からなるハウジング５に収容されている。ハウジング５には開口部６が形成されており、表示光Ｌは開口部６から出射する。開口部６には透光性カバー７が設けられており、ハウジング５内に塵埃が侵入し、蛍光表示管２の表示面や反射鏡３に付着することを防いでいる。
【０００３】
【発明が解決しようとする課題】
上記表示装置は、周囲の照度に応じて蛍光表示管２の輝度を自動的に調整できるという利点を有している。例えば周囲が暗くなった場合は、自動的に蛍光表示管２の輝度を減少させ、観察者が眩しく感じることを防止できる。しかしながら、光センサ１がハウジング５の上部に取付けられているため、光センサ１が突起物となっており、外観上好ましくない。本発明は、光センサが目立たない表示装置を提供するものである。
【０００４】
【課題を解決するための手段】
本発明は、前記課題を解決するため、請求項１に記載の本発明は、
発光型表示器が発した表示光を反射手段により観察者の方向に反射させ、前記表示光を前記観察者が虚像として背景と重畳させて視認する表示装置であって、前記表示光が出射する開口部を有し前記発光型表示器を収容するハウジングと、前記開口部に設けられた透光性カバーと、前記ハウジングと一体に設けられ前記開口部から前記発光型表示器に太陽光が入射すること防ぐ遮光壁と、前記透光性カバーを透過した光を検出するとともに、光軸が前記虚像の方向と略一致するように前記遮光壁に設けられる孔部に対向して配設される光検出手段と、前記光検出手段により検出された照度データに基いて前記発光型表示器の輝度を調整する制御手段と、を有するものである。
【０００９】
【発明の実施の形態】
表示装置は発光型表示器１３が発した表示光Ｌを反射手段１０により観察者１１の方向に反射させるものであり、観察者１１は虚像１２を背景と重畳させて視認する。発光型表示器１３は非透光性樹脂からなるハウジング２０に収容されており、このハウジング２０には表示光Ｌが出射する開口部２２が設けられている。ハウジング２０の開口部２２には透光性樹脂からなる透光性カバー２３が設けられている。開口部２２から発光型表示器１３に太陽光が入射すること防ぐ遮光壁２４がハウジング２０と一体に形成されている。
発光型表示器１３の輝度は周囲の照度に基いて制御手段３１により調整される。周囲の照度はハウジング２０内に設けられた光検出手段２８により検出される。遮光壁２４には孔部２５が形成されており、光検出手段２８は孔部２５を通過した光を検出する。
【００１０】
【実施例】
以下、本発明を車両用ヘッドアップディスプレイに適用した一実施例を説明する。
【００１１】
８は表示ユニットであり、この表示ユニット８は車両のダッシュボード９内に配設されている（図２参照）。表示ユニット８が投射する表示光Ｌはフロントガラス１０（反射手段）により観察者１１の方向に反射される。観察者１１は虚像１２を背景と重畳させて観察することができる。
【００１２】
図１は表示ユニット８の断面図である。１３は蛍光表示管（発光型表示器）であり、この蛍光表示管１３は表示面１４を有しており表示光Ｌを発する。蛍光表示管１３は端子部１５を有しており、この端子部１５は側面から突出し表示面１４側に屈曲している。１６は回路基板であり、この回路基板１６は端子部１５により蛍光表示管１３と接続されている。回路基板１６は表示面１４に対応する個所に開口部１７を有している。１８は放熱部材であり、この放熱部材１８は多数の放熱フィン１９を有している。放熱部材１８は蛍光表示管１３の裏面にシリコーン系接着剤で接着されている。
【００１３】
２０はハウジングであり、このハウジング２０には蛍光表示管１３，回路基板１６等が収容される。ハウジング２０には開口部２１が設けられており、この開口部２１から放熱部材１８の放熱フィン１９が露出している。また、ハウジング２０には表示光Ｌが出射する開口部２２が設けられており、この開口部２２には透光性樹脂（例えばアクリル）からなる透光性カバー２３が配設されている。２４は遮光壁であり、この遮光壁２４はハウジング２０と一体に形成されており、太陽光が開口部２２から蛍光表示管１３に入射し虚像１２が見えにくくなる現象（ウォッシュアウト）を防止している。遮光壁２４には後述する光センサと対向する個所に貫通孔２５（孔部）が形成されている。
【００１４】
２６は反射鏡であり、この反射鏡２６は蛍光表示管１３が発した表示光Ｌを開口部２２方向に反射させる。反射鏡２６は樹脂（例えばポリカーボネート）に金属（例えばアルミニウム）を蒸着させ反射面２７を形成したものである。反射面２７は凹面となっており虚像１２を拡大表示するようになっている。２８は光センサ（光検出手段）であり、この光センサ２８は遮光壁２４の後方に配設されている。光センサ２８の光軸は虚像１２の方向と略一致するように前向きとなっている。光センサ２８は透光性カバー２３を透過し貫通孔２５を通過した光を検出する。
【００１５】
次に、図３に示すブロック図に基いて、蛍光表示管１３の表示について説明する。蛍光表示管１３は駆動回路２９により駆動され車両の速度を表示する。３０は速度センサであり、この速度センサ３０はマイコン３１（制御手段）に速度データＡを出力する。マイコン３０は速度データＡに基づいて駆動回路３１に速度表示データＸを出力する。
マイコン３１は不揮発性メモリ（図示しない）を有しており、この不揮発性メモリには光センサ２８から出力される照度データＢに対応する輝度データＹが記憶されている。マイコン３１は照度データＢに基づいて駆動回路２９に輝度データＹを出力し、コントラスト比（虚像１２の明るさと背景の明るさの比）を略一定とすることができる。
【００１６】
以上述べた実施例によれば、光センサ２８はハウジング２０内に配設されているため目立たなく、表示ユニット８の外観が損なわれない。更に、光センサ２８は遮光板２４の後方に配設されているため一層目立たない。
なお、本実施例の発光型表示器は蛍光表示管１１であったが、例えば液晶表示素子及びこの液晶表示素子を後方から照明する光源を有する液晶表示器であっても良い。また、本実施例は、フロントガラス１０により表示光Ｌを反射させるものであったが、例えばフロントガラスに半透過フィルムを貼着し、この半透過フィルムにより表示光Ｌを観察者１１の方向に反射させても良い。また、本実施例の表示装置はヘッドアップディスプレイであったが、本発明は他の表示装置にも適用できることは言うまでもない。
【００１７】
【発明の効果】
本発明は、発光型表示器が発した表示光を反射手段により観察者の方向に反射させ、前記表示光を前記観察者が虚像として背景と重畳させて視認する表示装置であって、前記表示光が出射する開口部を有し前記発光型表示器を収容するハウジングと、前記開口部に設けられた透光性カバーと、前記ハウジングと一体に設けられ前記開口部から前記発光型表示器に太陽光が入射すること防ぐ遮光壁と、前記透光性カバーを透過した光を検出するとともに、光軸が前記虚像の方向と略一致するように前記遮光壁に設けられる孔部に対向して配設される光検出手段と、前記光検出手段により検出された照度データに基いて前記発光型表示器の輝度を調整する制御手段と、を有するものであり、前記光検出素子は前記ハウジング内に配設されているため目立たない。
【００１９】
また、本発明は、前記光検出手段の光軸が前記虚像の方向と略一致するように前記遮光壁に設けられる孔部に配設されるものであり、前記虚像近傍の明るさを検出することができ、虚像の明るさと背景の明るさの比を略一定とすることができる。
【００２０】
また、本発明は、前記遮光壁の前記孔部に対向して前記光検出手段を配設するものであり、更に前記光検出素子が目立たない。
【図面の簡単な説明】
【図１】本発明の実施例を示す表示ユニットの断面図。
【図２】上記実施例を示す虚像の説明図。
【図３】上記実施例を示すブロック図。
【図４】従来例を示す表示ユニットの断面図。
【符号の説明】
１３  蛍光表示管（発光型表示器）
２０  ハウジング
２２  開口部
２３  透光性カバー
２４  遮光壁
２５  貫通孔（孔部）
２８  光センサ（光検出手段）
３１  マイコン（制御手段）
【図１】
0003718741.tif 000002
【図２】
0003718741.tif 000003
【図３】
0003718741.tif 000004
【図４】
0003718741.tif 000005